(57)【特許請求の範囲】
【請求項１】
上部と下部に鉤部を一体に形成してなる前面枠施錠杆が基枠体の支持板に沿って摺動可能に支持され、上部と下部に鉤部を一体に形成してなるガラス枠施錠杆が該支持板に沿って摺動可能に配設され、該基枠体の中間部にシリンダ錠が取り付けられ、該シリンダ錠の錠軸の先端に前記前面枠施錠杆またはガラス枠施錠杆と回転方向に応じて係合するカム部材が固定され、該基枠体がパチンコ機の前面枠に縦に取付けられ、該パチンコ機の本体枠側に取付けられた受け金具の係止部に該鉤部が係止されて前面枠を施錠し、該前面枠の内側に開閉可能に取り付けられたガラス枠の一部が該ガラス枠施錠杆の鉤部に係止されて該ガラス枠を施錠するパチンコ機の施錠装置において、
該前面枠施錠杆と該ガラス枠施錠杆に各々ロック部材が揺動可能に枢支され、前面枠用の該ロック部材には前面枠の施錠時に本体枠側の受け金具に係止されて該前面枠施錠杆の移動をロックする係止部が設けられ、ガラス枠用の該ロック部材にはガラス枠の施錠時にガラス枠の一部に係止されて該ガラス枠施錠杆の移動をロックする係止部が設けられ、ロック解除部材が該前面枠施錠杆及び該ガラス枠施錠杆に沿って摺動可能に配設され、該ロック解除部材には、該カム部材と係合可能な係合部が設けられると共に、該シリンダ錠の解錠操作により該カム部材が回動して該ロック解除部材が摺動したとき、該前面枠施錠杆の該ロック部材をロック解除方向に揺動させる係合部と該ガラス枠施錠杆の該ロック部材をロック解除方向に揺動させる係合部が設けられたことを特徴とするパチンコ機の施錠装置。
【請求項２】
基枠体の支持板に沿って連結杆が摺動可能に配設され、該支持板の上部と下部に鉤部材が該連結杆に連結されて傾動可能に枢支され、上部と下部に鉤部を一体に形成してなるガラス枠施錠杆が該支持板に沿って摺動可能に配設され、該基枠体の中間部にシリンダ錠が取り付けられ、該シリンダ錠の錠軸の先端に前記連結杆またはガラス施錠杆と回動方向に応じて係合するカム部材が固定され、該基枠体がパチンコ機の前面枠に縦に取付けられ、該パチンコ機の本体枠側に取付けられた受け金具の係止部に該鉤部材が係止されて前面枠を施錠し、前面枠の内側に開閉可能に取り付けられたガラス枠の一部が該ガラス枠施錠杆の鉤部に係止されて該ガラス枠を施錠するパチンコ機の施錠装置であって、
該連結杆と該ガラス枠施錠杆に各々ロック部材が揺動可能に枢支され、前面枠用のロック部材には前面枠の施錠時に本体枠側の受け金具に係止されて連結杆の移動をロックする係止部が設けられ、ガラス枠用のロック部材にはガラス枠の施錠時にガラス枠の一部に係止されてガラス枠施錠杆の移動をロックする係止部が設けられ、ロック解除部材が該連結杆及び該ガラス枠施錠杆に沿って摺動可能に配設され、該ロック解除部材には、該カム部材と係合可能な係合部が設けられると共に、該シリンダ錠の解錠操作により該カム部材が回動して該ロック解除部材が摺動したとき、該連結杆の該ロック部材をロック解除方向に揺動させる係合部と該ガラス枠施錠杆の該ロック部材をロック解除方向に揺動させる係合部が設けられたことを特徴とするパチンコ機の施錠装置。
【発明の詳細な説明】
【技術分野】
【０００１】
本発明は、パチンコ機の前面枠の内側に取り付けられ、前面枠を本体枠に対し施錠すると共に、ガラス枠を前面枠に対し施錠するパチンコ機の施錠装置に関する。
【背景技術】
【０００２】
パチンコ機の前面枠を本体枠に対し施錠する施錠装置として、断面Ｌ字状またはコ字状の取付板と支持板を有した基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる施錠装置が、一般に使用されている。
【０００３】
この種の施錠装置は、シリンダ錠の錠軸をキーで回すことにより、カム板を回動させ、カム板に係合する連結杆を上下に摺動させ、これにより、連結杆の上下端に連結される鉤部材を傾動させ、鉤部材の受け金具との係合をはずして解錠する構造である。しかしながら、施錠状態つまり鉤部材が受け金具と係合した状態であっても、鉤部材に直接力を加えて動かせば、それを傾動させることができるため、パチンコ機の一部に隙間があって、その隙間から針金等を内部に差し込み、針金等で鉤部材に直接力を加えて傾動させると、前面枠がキーを用いずに不正に解錠されてしまう問題があった。
【０００４】
そこで、本発明者らは、施錠完了時に前面枠用の施錠杆の動きをロックするロック部材を施錠杆に枢支し、解錠時にロック部材のロックを解除する機構を設けることにより、上記のような不正解錠を防止する施錠装置を、下記特許文献１などで提案している。
【特許文献１】特開２００３−３２５９１８号公報
【発明の開示】
【発明が解決しようとする課題】
【０００５】
この施錠時に前面枠用の施錠杆をロックして不正解錠を防止する施錠装置は、パチンコ機の前面枠を本体枠に対し閉じて、鉤部材を受け金具の係止部に係止させ、施錠を完了すると、ロック部材が施錠杆をロックすることにより鉤部材がロックされる。これにより、パチンコ機の本体枠と前面枠の隙間等から、針金等を差し込んで、施錠杆や鉤部を直接動かして不正解錠をしようとしても、施錠状態にある施錠杆や鉤部はロックされて動かず、不正解錠を防止するものである。
【０００６】
しかしながら、上記の施錠装置では、前面枠用の施錠杆を施錠時にロックして前面枠の不正解錠を防止できるものの、同じ基枠体内に配設されたガラス枠用の施錠杆については、ロック部材が設けられていないため、施錠時のロック機能が動作せず、針金等の不正器具の先端をガラス枠用の施錠杆に引っ掛けてロックを解除し、ガラス枠が不正に解錠される可能性があった。
【０００７】
本発明は、上記の課題を解決するためになされたもので、前面枠の不正解錠と共にガラス枠の不正解錠を防止することができるパチンコ機の施錠装置を提供することを目的とする。
【課題を解決するための手段】
【０００８】
上記の目的を達成するために、本発明の請求項１の施錠装置は、上部と下部に鉤部を一体に形成してなる前面枠施錠杆が基枠体の支持板に沿って摺動可能に支持され、上部と下部に鉤部を一体に形成してなるガラス枠施錠杆が該支持板に沿って摺動可能に配設され、該基枠体の中間部にシリンダ錠が取り付けられ、該シリンダ錠の錠軸の先端に前記前面枠施錠杆またはガラス枠施錠杆と回転方向に応じて係合するカム部材が固定され、該基枠体がパチンコ機の前面枠に縦に取付けられ、該パチンコ機の本体枠側に取付けられた受け金具の係止部に該鉤部が係止されて前面枠を施錠し、該前面枠の内側に開閉可能に取り付けられたガラス枠の一部が該ガラス枠施錠杆の鉤部に係止されて該ガラス枠を施錠するパチンコ機の施錠装置において、
該前面枠施錠杆と該ガラス枠施錠杆に各々ロック部材が揺動可能に枢支され、前面枠用の該ロック部材には前面枠の施錠時に本体枠側の受け金具に係止されて該前面枠施錠杆の移動をロックする係止部が設けられ、ガラス枠用の該ロック部材にはガラス枠の施錠時にガラス枠の一部に係止されて該ガラス枠施錠杆の移動をロックする係止部が設けられ、ロック解除部材が該前面枠施錠杆及び該ガラス枠施錠杆に沿って摺動可能に配設され、該ロック解除部材には、該カム部材と係合可能な係合部が設けられると共に、該シリンダ錠の解錠操作により該カム部材が回動して該ロック解除部材が摺動したとき、該前面枠施錠杆の該ロック部材をロック解除方向に揺動させる係合部と該ガラス枠施錠杆の該ロック部材をロック解除方向に揺動させる係合部が設けられたことを特徴とする。
【０００９】
また、本発明の請求項２の施錠装置は、基枠体の支持板に沿って連結杆が摺動可能に配設され、該支持板の上部と下部に鉤部材が該連結杆に連結されて傾動可能に枢支され、上部と下部に鉤部を一体に形成してなるガラス枠施錠杆が該支持板に沿って摺動可能に配設され、該基枠体の中間部にシリンダ錠が取り付けられ、該シリンダ錠の錠軸の先端に前記連結杆またはガラス施錠杆と回動方向に応じて係合するカム部材が固定され、該基枠体がパチンコ機の前面枠に縦に取付けられ、該パチンコ機の本体枠側に取付けられた受け金具の係止部に該鉤部材が係止されて前面枠を施錠し、前面枠の内側に開閉可能に取り付けられたガラス枠の一部が該ガラス枠施錠杆の鉤部に係止されて該ガラス枠を施錠するパチンコ機の施錠装置であって、該連結杆と該ガラス枠施錠杆に各々ロック部材が揺動可能に枢支され、前面枠用のロック部材には前面枠の施錠時に本体枠側の受け金具に係止されて連結杆の移動をロックする係止部が設けられ、ガラス枠用のロック部材にはガラス枠の施錠時にガラス枠の一部に係止されてガラス枠施錠杆の移動をロックする係止部が設けられ、ロック解除部材が該連結杆及び該ガラス枠施錠杆に沿って摺動可能に配設され、該ロック解除部材には、該カム部材と係合可能な係合部が設けられると共に、該シリンダ錠の解錠操作により該カム部材が回動して該ロック解除部材が摺動したとき、該連結杆の該ロック部材をロック解除方向に揺動させる係合部と該ガラス枠施錠杆の該ロック部材をロック解除方向に揺動させる係合部が設けられたことを特徴とする。
【発明の効果】
【００１０】
上記構成の請求項１の施錠装置によれば、前面枠施錠杆とガラス枠施錠杆に各々ロック部材が揺動可能に枢支され、前面枠の施錠時には前面枠施錠杆がそのロック部材によりロックされ、ガラス枠の施錠時にはガラス枠施錠杆がロック部材によりロックされるため、針金などの不正器具によって前面枠施錠杆またはガラス枠施錠杆を動かすような不正解錠を防止することができる。また、解錠操作時には、１本のロック解除部材の移動によってロック部材のロックを解除して解錠を行うことができ、比較的少ない数の部品と簡易な構造により施錠装置を形成することができる。また、請求項２の施錠装置によれば、前面枠用の鉤部材を連結する連結杆とガラス枠施錠杆に各々ロック部材が揺動可能に枢支され、前面枠の施錠時には連結杆がそのロック部材によりロックされ、ガラス枠の施錠時にはガラス枠施錠杆がロック部材によりロックされるため、針金などの不正器具によって前面枠用の連結杆またはガラス枠施錠杆を動かすような不正解錠を防止することができる。
【発明を実施するための最良の形態】
【００１１】
以下、本発明の実施形態を図面に基づいて説明する。図１はパチンコ機用の施錠装置の正面図を、図２はその右側面図を、図３はその左側面図を各々示している。また、図４はその背面図を示し、図５はその背面側からの斜視図を示している。本施錠装置は、概略的には、縦長の基枠体１の支持板３ａ，３ｂの外側に、前面枠施錠杆４とガラス枠施錠杆５を上下に摺動可能に取り付け、基枠体１の正面の取付板２に取り付けたシリンダ錠７の錠軸７ａを回動させたとき、その錠軸７ａに固定したカム部材１０を、前面枠施錠杆４またはガラス枠施錠杆５に選択的に係合させ、これを摺動させて解錠するように構成される。
【００１２】
基枠体１は、断面を略コ字状としたチャンネル状に形成され、チャンネル状の基枠体１には、３面の壁部１ａ，１ｂ、１ｃが相互に直角につまり方形に曲折されて形成されており、その壁部１ｃが基枠体１の正面をなす取付板２となり、正面に向かって右側に壁部１ａが形成され、背面側に壁部１ｂが形成されている。正面の取付板２には、シリンダ錠７が正面側に突き出すように突設される。また、取付板２には、取付ねじを挿入して前面枠に取り付けるための複数の取付孔が穿設される。
【００１３】
すなわち、コ字状断面の基枠体１には、正面に向かって左側面に開口部が形成され、基枠体１の右側面に壁部１ａが形成され、その背面に壁部１ｂが形成される。これにより、基枠体１の構造は、正面の取付板２、右側面の壁部１ａ及び背面の壁部１ｂにより、断面コ字状として３方を閉じた形状となっている。背面の壁部１ｂにおけるシリンダ錠７に対向した部分は、シリンダ錠７の着脱のために、開口している。この壁部１ｂの開口部分には、カバー板を着脱可能に設け、シリンダ錠７とカム部材１０を取り付けた後、そのカバー板を取り付けて壁部１ｂの開口部分を閉鎖することができる。この壁部１ｂの開口部分をカバー板で閉鎖すれば、カム部材１０周縁の正面、背面、右側面を完全に覆うことができる。一方、図６〜図８に示すように、基枠体１内の上端部と下端部の取付板２（壁部１ｃ）と壁部１ｂ間に、柱状の補強部材１ｄが固定され、取付板２（壁部１ｃ）と壁部１ｂの補強を行なっている。
【００１４】
さらに、基枠体１の背面と正面の縁部つまり開口部に向かう縁部に、各々支持板３ａ，３ｂが、基枠体１の正面部と背面部側に直角に曲折されるようにして、一体的に突出形成されている。このような基枠体１には、図３、図８などに示すように、背面側に突設された支持板３ａの外側（正面に向かって左側）に、後述の前面枠２１を施錠するための前面枠施錠杆４がガイドピン４ｄを介して上下に摺動可能に取り付けられ、正面側に突設された支持板３ｂの外側（正面に向かって左側）に、ガラス枠施錠杆５がガイドピン５ｄを介して上下に摺動可能に取り付けられる。
【００１５】
本施錠装置は、後述のようにパチンコ機の前面枠２１の自由端側端部の内側に取り付けられるが、この場合、前面枠２１の自由端側の本体枠２０との合わせ部分に近い基枠体１の右側面が、壁部１ａで閉鎖され、且つ背面側も壁部１ｂで閉鎖され、これにより、前面枠２１の自由端側の本体枠２０との合わせ部分の隙間から挿入された針金などの不正器具は、これらの壁部１ａ，１ｂにより阻止され、前面枠施錠杆４やガラス枠施錠杆５などに到達しにくくしている。
【００１６】
図９に示すように、基枠体１の取付板２の中間部下寄りに、シリンダ錠７を取り付けるための開口部が形成され、フランジ７ｂを有するシリンダ錠７が、その開口部に内側から、鍵穴先端を外側に突き出すように挿入され、フランジ７ｂを取付板２の内側に当て、固定ねじをフランジ７ｂの取付孔に挿入して締付け固定される。図９のように、シリンダ錠７の錠軸７ａには、カム部材１０が固定される。
【００１７】
カム部材１０には第１係合凸部１０ａと第２係合凸部１０ｂが設けられ、シリンダ錠７に挿入したキーを右に回したとき、カム部材１０が図４の反時計方向に回動し、第１係合凸部１０ａが前面枠施錠杆４の係合部４ｆに係合してこれを上方に摺動させる。またこのとき、第１係合凸部１０ａはロック解除部材６の係合部６ｃに係合し、これを上方に摺動させる。一方、ガラス枠２２を解錠するために、キーを左に回したとき、カム部材１０が図４の時計方向に回動し、第２係合凸部１０ｂがガラス枠施錠杆５の係合部５ｆに係合してこれを下方に摺動させる。
【００１８】
前面枠施錠杆４は、図８、図９に示すように、帯状に形成され、その帯状本体の上端部と下端部に、フック状の鉤部４ａ、４ｂが背面側に突き出すように係止部を下向きに設けて形成されている。また、前面枠施錠杆４の上端部と下端部の近傍に、ガイド孔４ｃが形成され、帯状本体の中間部下寄りのシリンダ錠７のカム部材１０に対応した位置に、係合部４ｆがカム部材１０と係合可能に形成される。特に、図９に示すように、その帯状本体の中間上部位置には、凹み部４ｇが形成され、前面枠施錠杆４が支持板３ａの外側にガイドピン４ｄ，４ｅを介して取り付けられた際、その凹み部４ｇが基枠体１の内部に入る構造となっている。これにより、前面枠施錠杆４の凹み部４ｇが基枠体１内に入って隠れることとなり、前面枠の自由端側から挿入される不正工具が前面枠施錠杆４に達しにくくしている。
【００１９】
また、前面枠施錠杆４の下部の鉤部４ｂ近傍に、ロック部材８が枢軸８ａによって揺動可能に枢支されている。ロック部材８は、前面枠施錠杆４が施錠状態にあるとき、外部から力が印加された場合でも、その摺動をロックするもので、その一方の先端に係止部８ｂが形成され、前面枠２１を閉じて鉤部４ａ，４ｂが上受け金具２３と下受け金具２４に係止されたとき、下受け金具２４の係止孔２４ｂにこの係止部８ｂが進入して係止され、前面枠施錠杆４をロックする。ロック部材８の他方の端部に係合部８ｃがロックを解除するために設けられる。この係合部８ｃは後述のロック解除部材６の押し上げ部６ｄにより押し上げられたとき、ロック部材８をロック解除方向に揺動させるように動作する。
【００２０】
ガラス枠施錠杆５は、図８、図９に示すように、帯状に形成され、その帯状本体の上端部と下端部に、フック状の鉤部５ａ、５ｂを背面側に突き出すように係止部を上向きに設けている。また、ガラス枠施錠杆５の上端部と下端部の近傍に、ガイド孔５ｃが形成され、帯状本体の下部のシリンダ錠７のカム部材１０に対応した位置に、係合部５ｆがカム部材１０と係合可能に形成される。また、図９の如く、その帯状本体の中間部位置には、凹み部５ｈが形成され、ガラス枠施錠杆５が支持板３ｂの外側にガイドピン５ｄ，５ｅを介して取り付けられた際、その凹み部５ｈが基枠体１の内部に入る構造となっている。これにより、ガラス枠施錠杆５の凹み部５ｈが基枠体１内に入って隠れることとなり、隙間から挿入される不正工具がガラス枠施錠杆５に達しにくくしている。
【００２１】
また、ガラス枠施錠杆５の鉤部５ｂの上方に、押し開き部５ｇが傾斜部を正面に向かって突き出すように形成されている。この押し開き部５ｇは、ガラス枠施錠杆５がガラス枠２２の解錠時に下方に移動したとき、その傾斜部がガラス枠受け金具２５の当て部２５ｃを押して開くように動作する。さらに、ガラス枠施錠杆５の下部の鉤部５ｂ近傍に、ロック部材９が枢軸９ａによって揺動可能に枢支される。
【００２２】
ロック部材９は、ガラス枠施錠杆５が施錠状態にあるとき、外部から力が印加された場合でも、その摺動をロックするもので、その一方の先端に係止部９ｂが形成され、ガラス枠２２を閉じて鉤部５ａ，５ｂがガラス枠受け金具２５に係止されたとき、ガラス枠受け金具２５の係止孔２５ｄにこの係止部９ｂが進入して係止され、ガラス枠施錠杆５をロックする。ロック部材９の他方の端部に係合部９ｃがロックを解除するために設けられる。この係合部９ｃは後述のロック解除部材６の押し下げ部６ｅにより押し下げられたとき、ロック部材９をロック解除方向に揺動させるように動作する。
【００２３】
上記のロック部材８，９には、各々ばね部材（トーションばね）８ｄ、９ｄが装着され、ロック部材８，９はこのばね部材８ｄ、９ｄによりロック方向に付勢される。また、前面枠施錠杆４とガラス枠施錠杆５の間には、ばね部材（コイルばね）１３が掛け渡され、相互に施錠する側に付勢している。
【００２４】
図３に示すように、本施錠装置の最左側部のシリンダ錠近傍に、ロック部材８，９のロックを解除するための、ロック解除部材６が上下摺動可能に配設される。上述のように、ロック部材８は施錠状態における前面枠施錠杆４をロックし、ロック部材９は施錠状態におけるガラス枠施錠杆５をロックするが、シリンダ錠７をキーにより操作してカム部材１０を回動させ、前面枠施錠杆４またはガラス枠施錠杆５にカム部材１０を係合させて解錠方向に移動させる際、ロック部材８またはロック部材９によるロックを解除するために、ロック部材８またはロック部材９を揺動させる。このロック部材８またはロック部材９によるロックを解除するために、ロック解除部材６が装置の最左側部に摺動可能に取り付けられる。
【００２５】
図８に示すように、ロック解除部材６の上部と下部には、ガイド孔６ａ，６ｂが設けられ、そのガイド孔６ａ，６ｂにガイドピン１１，１２が挿通され、その先端が前面枠施錠杆４に固定される。ロック解除部材６の上部に押し下げ部６ｅが設けられ、ロック解除部材６の下部に押し上げ部６ｄが傾斜して設けられ、押し下げ部６ｅはガラス枠施錠杆５をロックするロック部材９の係合部９ｃに係合してこれをロック解除方向に揺動させる。また、押し下げ部６ｄは前面枠施錠杆４をロックするロック部材８の係合部８ｃに係合してこれをロック解除方向に揺動させる。ロック解除部材６の中間部に、カム部材１０と係合する係合部（矩形孔）６ｃが設けられ、カム部材１０の作動によりロック解除部材６は摺動してロックを解除する構造である。
【００２６】
上記構成の施錠装置は、図１６、図１７に示すように、パチンコ機の前面枠２１の自由端側（前面枠２１の正面視で右端）の内側に、シリンダ錠７の先端を前面に露出させ、鉤部４ａ、４ｂを本体枠２０側に向けた状態で、取付板２を用いて縦に取付けられる。ガラス枠施錠杆５の鉤部５ａ，５ｂは、前面枠２１の正面側に設けたガラス枠２２用の空間内に突出した状態で装着される。
【００２７】
図５などに示すように、基枠体１の右側面は壁部１ａにより閉じられ、その背面も壁部１ｂにより閉じられた構造のため、仮に前面枠２１の自由端側の隙間から針金等が差し込まれた場合でも、基枠体１の内側に針金等の先端が到達することは難しい。また、支持板３ａ，３ｂの外側に位置する前面枠施錠杆４、ガラス枠施錠杆５、ロック部材８，９に対しては、壁部１ａ、１ｂ及び支持板３ａ，３ｂが壁となって、針金等の先端を到達させることはできない。これは針金等の不正器具を使用した不正解錠の防止に対し非常に効果的である。
【００２８】
本体枠２０の内側には、図１６、図１７に示すように、係止部２３ａを有する上受け金具２３が鉤部４ａの対応位置に取り付けられ、係止部２４ａを有する下受け金具２４が鉤部４ｂの対応位置に取り付けられる。この下受け金具２４には、前面枠２１の閉鎖時に上記ロック部材８の係止部８ｂが嵌入する係止孔２４ｂが設けられる。
【００２９】
一方、前面枠２１の前面に開閉可能に取り付けられたガラス枠２２の自由端側の内側には、図１０のような帯状のガラス枠受け金具２５が縦に取り付けられ、このガラス枠受け金具２５には、ガラス枠施錠杆５の鉤部５ａが係止される係止部２５ａ、鉤部５ｂが係止される係止部２５ｂ、及びロック部材９の係止部９ｂが嵌入するための係止孔２５ｄが形成されている。さらに、ガラス枠施錠杆５の押し開き部５ｇが解錠操作時に当ってガラス枠を押し出すために、当て部２５ｃがガラス枠受け金具２５の係止部２５ｂの上方に設けられる。
【００３０】
前面枠２１を本体枠２０に対し閉じると、図１１、１２に示すように、前面枠施錠杆４の上下の鉤部４ａ，４ｂの傾斜部が本体枠２０側の係止部２３ａ、２４ａに当って前面枠施錠杆４が一旦上方に摺動し、鉤部４ａ，４ｂが係止部２３ａ、２４ａに係止されたとき、前面枠施錠杆４が下方に戻るように移動すると共に、ロック部材８の係止部８ｂが下受け金具２４の係止孔２４ｂに嵌入し、施錠状態となる。この施錠状態において、図１２、図１６に示すように、前面枠施錠杆４に枢支されたロック部材８の係止部８ｂが、下受け金具２４の係止孔２４ｂに嵌入した状態となり、前面枠施錠杆４はその上下動をロックされる。このため、キーを使用せずに針金などの不正器具を使用して前面枠施錠杆４を移動させることはできず、不正器具による不正解錠を、効果的に阻止することができる。
【００３１】
一方、前面枠２１に対しガラス枠２２を閉じると、ガラス枠施錠杆５の上下の鉤部５ａ，５ｂの傾斜部がガラス枠２２側のガラス枠受け金具２５の係止部２５ａ、２５ｂに当ってガラス枠施錠杆５が一旦下方に摺動し、鉤部５ａ，５ｂが係止部２５ａ、２５ｂに係止されたとき、ガラス枠施錠杆５が上方に戻るように移動すると共に、ロック部材９の係止部９ｂがガラス枠受け金具２５の係止孔２５ｄに嵌入し、ガラス枠２２は図１６のように施錠状態となる。この施錠状態において、図１６に示すように、ガラス枠施錠杆５に枢支されたロック部材９の係止部９ｂが、ガラス枠受け金具２５の係止孔２５ｄに嵌入した状態となり、ガラス枠施錠杆５はその上下動をロックされるため、キーを使用せずに針金などの不正器具を使用しての不正解錠を、効果的に阻止することができる。
【００３２】
前面枠２１をキーにより解錠する場合は、図１３のように、キーでシリンダ錠７の錠軸７ａを回し、カム部材１０を図４の反時計方向に回転させる。このとき、カム部材１０の第１係合凸部１０ａが、図１３のように、先ず、ロック解除部材６の係合部６ｃに当たってこれを上方に摺動させる。このとき、ロック解除部材６の押し上げ部６ｄがロック部材８の係合部８ｃを押し、これにより、ロック部材８が図１３のように時計方向に回動し、ロック部材８の係止部８ｂが下受け金具２４の係止孔２４ｂから離脱する。さらに、カム部材１０の第１係合凸部１０ａが回動して、前面枠施錠杆４の係合部４ｆに係合し、前面枠施錠杆４を上方に持ち上げるように動作すると、ロック部材８の係止部８ｂによるロックが外れているから、前面枠施錠杆４が上方に摺動し、鉤部４ａ，４ｂが係止部２３ａ，２４ａから離脱し、前面枠２１は解錠される。
【００３３】
このように、キーを右に回して、カム部材１０の第１係合凸部１０ａを同方向に回動させれば、ロック解除部材６を摺動させ、ロック部材８を揺動させてロックを外しながら、前面枠施錠杆４を解錠方向に移動させ、鉤部４ａ，４ｂをスライドさせて、解錠することができる。
【００３４】
一方、ガラス枠２２を解錠する場合、シリンダ錠７に差し込んだキーを左に回すと、カム部材１０が同方向に回動し、その第２係合凸部１０ｂが、図１４に示すように、先ず、ロック解除部材６の一部に当たってこれを下方に摺動させる。このとき、ロック解除部材６の押し下げ部６ｅがロック部材９の係合部９ｃを押し、これにより、ロック部材９が図１４のように時計方向に回動し、ロック部材９の係止部９ｂがガラス枠受け金具２５の係止孔２５ｄから離脱する。
【００３５】
さらに、カム部材１０の第２係合凸部１０ｂが回動して、ガラス枠施錠杆５の係合部５ｆに係合し、ガラス枠施錠杆５を下方に押し下げるように動作すると、ロック部材９の係止部９ｂによるロックが外れているから、ガラス枠施錠杆５は下方に摺動し、鉤部５ａ，５ｂが係止部２５ａ，２５ｂから離脱し、ガラス枠２２は解錠される。またこのとき、ガラス枠施錠杆５の押し開き部５ｇがガラス枠受け金具２５の当て部２５ｃを押し、ガラス枠２２は押し開かれる。
【００３６】
このように、前面枠施錠杆４とガラス枠施錠杆５に各々ロック部材８，９が揺動可能に枢支され、前面枠の施錠時には前面枠施錠杆４がそのロック部材８によりロックされ、ガラス枠の施錠時にはガラス枠施錠杆５がロック部材９によりロックされるため、針金などの不正器具によって前面枠施錠杆４またはガラス枠施錠杆５を動かすような不正解錠を防止することができる。また、解錠操作時には、１本のロック解除部材６の移動によって、各ロック部材８，９のロックを解除して解錠を行うことができ、比較的少ない数の部品と簡易な構造により施錠装置を形成することができる。
【００３７】
また、基枠体１がチャンネル材形状の断面コ字状に形成され、基枠体１の正面に向かって右側面に壁部１ａが形成されると共に、背面にも壁部１ｂが形成され、基枠体１の正面の壁部１ｃとなる取付板２に取り付けられたシリンダ錠７の錠軸のカム部材１０が３面の壁部１ａ〜１ｃで閉じられた空間に配置され、前面枠施錠杆４、ガラス枠施錠杆５は、基枠体１の背面の壁部１ｂの左側縁部から背面側に延設された支持板３ａ及び正面側の取付板２の左側縁部から正面側に延設された支持板３ｂの左側（前面枠２１とガラス枠２２の自由端から遠い部分）に配置される。
【００３８】
したがって、本体枠２０と前面枠２１の自由端側（パチンコ機の正面に向かって右側端部）の隙間から、針金等の不正器具を差し込んで、基枠体１に不正器具の先端が達したとしても、カム部材１０、前面枠施錠杆４、及びガラス枠施錠杆５などは基枠体１の左側に隠れ、基枠体１の壁部１ａ〜１ｃが不正器具を有効にブロックすることとなるから、施錠杆などを動かすことはできず、不正解錠を防止することができる。
【００３９】
なお、上記実施形態では、鉤部４ａ，４ｂを一体に設けたスライド式の前面枠施錠杆４と、同様に鉤部５ａ，５ｂを一体に設けたガラス枠施錠杆５を使用したが、前面枠施錠杆４に代えて、支持板の上部と下部に前面枠用の鉤部材を傾動可能に枢支し、連結杆によって両鉤部材を揺動可能に連結し、上下の鉤部材を傾動させて前面枠の施錠と解錠を行なう構造の施錠装置に適用することができる。また、ガラス枠施錠杆５に代えて、支持板の上部と下部にガラス枠用鉤部材を傾動可能に枢支し、ガラス枠用の連結杆によって両ガラス枠用鉤部材を揺動可能に連結し、上下のガラス枠用鉤部材を傾動させてガラス枠の施錠と解錠を行なう構造の施錠装置に適用することができる。この場合、施錠時に連結杆をロックするロック部材が前面枠用の連結杆またはガラス枠用の連結杆に揺動可能に枢支され、１本のロック解除部材が連結杆に沿って摺動可能に支持され、シリンダ錠の解錠操作に応じて、ロック解除部材が一方又は他方に摺動してロック部材のロックを解除することになる。
【図面の簡単な説明】
【００４０】
【図１】本発明の一実施形態を示す施錠装置の正面図である。
【図２】同施錠装置の右側面図である。
【図３】同装置の左側面図である。
【図４】同装置の背面図である。
【図５】同施錠装置の背面側からの斜視図である。
【図６】同施錠装置の底面図である。
【図７】同施錠装置の平面図である。
【図８】同装置の分解左側面図である。
【図９】同装置の分解背面図である。
【図１０】ガラス枠受け金具の斜視図である。
【図１１】前面枠を閉じる際の下受け金具と施錠装置の要部拡大左側面図である。
【図１２】前面枠を閉じる際の下受け金具と施錠装置の要部拡大左側面図である。
【図１３】前面枠を解錠操作する際の要部拡大左側面図である。
【図１４】ガラス枠を解錠操作する際の要部拡大左側面図である。
【図１５】前面枠受け金具と施錠装置の背面側からの斜視図である。
【図１６】使用状態を示す、ガラス枠、前面枠を閉じた状態の右側面図である。
【図１７】使用状態を示す、ガラス枠、前面枠を開いた状態の右側面図である。
【符号の説明】
【００４１】
１      基枠体
１ａ    壁部
１ｂ    壁部
１ｃ    壁部
２      取付板
３ａ    支持板
３ｂ    支持板
４      前面枠施錠杆
４ａ    鉤部
４ｂ    鉤部
５      ガラス枠施錠杆
５ａ    鉤部
５ｂ    鉤部
７      シリンダ錠
１０    カム部材
１０ａ  第１係合凸部
１０ｂ  第２係合凸部
２０    本体枠
２１    前面枠
２２    ガラス枠
【図１】
0004777136.tif 000002
【図２】
0004777136.tif 000003
【図３】
0004777136.tif 000004
【図４】
0004777136.tif 000005
【図５】
0004777136.tif 000006
【図６】
0004777136.tif 000007
【図７】
0004777136.tif 000008
【図８】
0004777136.tif 000009
【図９】
0004777136.tif 000010
【図１０】
0004777136.tif 000011
【図１１】
0004777136.tif 000012
【図１２】
0004777136.tif 000013
【図１３】
0004777136.tif 000014
【図１４】
0004777136.tif 000015
【図１５】
0004777136.tif 000016
【図１６】
0004777136.tif 000017
【図１７】
0004777136.tif 000018